(57)【要約】【課題】起動時、入力急変時、負荷急変時等のオーバーシュートの保護が働いたときに発生するトランスの音鳴き軽減を可能とする力率改善回路を提供する。【解決手段】出力電圧制御部により出力コンデンサの両端電圧が第１電圧値に定電圧制御され、出力コンデンサの両端電圧が第１電圧値よりも大きい第２電圧値に達した場合、過電圧検出部により第２電圧値が検出される。また、電流制限部によりスイッチング素子に流れるスイッチング電流値が検出されるとともに、スイッチング電流の制限値が決定される。そして、制限値にスイッチング電流が制限され、過電圧検出部により第２電圧値が検出された場合、制限値変更部によりスイッチング電流値低下させるよう、電流制限部に対して制限値が変更される。【選択図】図２
2012105200.tif 000002
【特許請求の範囲】
【請求項１】
商用入力電源を整流する入力ダイオードと、前記入力ダイオードに一端が接続されたチョークコイルと、前記チョークコイルの他端にアノード端が接続された出力ダイオードと、前記出力ダイオードのカソード端に正極端が接続された出力コンデンサと、前記出力ダイオードのアノード端および前記チョークコイルの他端の接続点と前記出力コンデンサの負極端との間に接続されたスイッチング素子と、前記スイッチング素子のオンオフを制御する制御回路と、を備え、前記商用入力電源の電圧を昇圧し前記出力コンデンサより直流電圧を出力し、負荷側に電力供給する力率改善回路において、
前記制御回路は、
前記出力コンデンサの両端電圧を第１電圧値に定電圧制御する出力電圧制御部と、
前記出力コンデンサの両端電圧が前記第１電圧値よりも大きい第２電圧値に達した場合に、前記第２電圧値を検出する過電圧検出部と、
前記スイッチング素子に流れるスイッチング電流の値を検出するとともに、前記スイッチング電流の大きさの制限値を決定し、前記制限値に前記スイッチング電流の値を制限する電流制限部と、
前記過電圧検出部が前記第２電圧値を検出した場合に、前記スイッチング電流の大きさを低下させるよう、前記電流制限部に対して前記制限値を変更させる制限値変更部と、
を備えたことを特徴とする力率改善回路。
【請求項２】
前記制限値変更部は、前記過電圧検出部が前記第２電圧値を検出した後に、前記過電圧検出部が、前記出力コンデンサの両端電圧を前記第２電圧値以上であると検出した場合には、前記過電圧検出部が前記第２電圧値を検出した場合に前記スイッチング電流の値を低下させるよりも更に低下させるよう、前記電流制限部に対して前記制限値を変更させることを特徴とする請求項１に記載の力率改善回路。
【請求項３】
前記電流制限部が、負端子に第１電圧値に相当する基準電源が接続され、出力が前記スイッチング素子の発振を制御する発振制御部に接続された比較器からなり、正端子に、前記スイッチング電流の値に相当する電流レベル信号と前記制限値変更部から出力される前記電流制限部に対して前記制限値を変更させる制限値変更信号とを重畳させた信号を供給することを特徴とする請求項２に記載の力率改善回路。
【請求項４】
前記制御回路は、前記スイッチング素子のスイッチング動作を停止保持させる発振停止保持部を備え、
前記過電圧検出部は、前記出力コンデンサの両端電圧が前記第２電圧値よりも大きい第３電圧値に達した場合に、前記第３電圧値を検出し、前記発振停止保持部に対し前記スイッチング素子のスイッチングを停止保持させるように制御することを特徴とする請求項１または請求項２に記載の力率改善回路。
【請求項５】
前記制御回路は、前記制限値変更部が前記電流制限部に対して前記制限値を変更させた状態から変更前の状態に戻すタイミングで、前記制限値の変更が終了したことを表す制限値変更終了信号を前記負荷側に伝達する制限値変更終了伝達部を備えたことを特徴とする請求項１から請求項４のいずれかに記載の力率改善回路。
【発明の詳細な説明】
【技術分野】
【０００１】
本発明は、力率改善回路に関し、特に、起動時、入力急変時、負荷急変時等の出力電圧のオーバーシュート対策、昇圧用のインダクタンス素子等の音鳴き対策、装置の小型化および低コスト化を満足する力率改善回路に関する。
【背景技術】
【０００２】
従来、力率改善のためのスイッチング電源は、交流入力電圧をブリッジダイオードにて整流し、その整流出力電圧を昇圧型スイッチング電源用コンデンサにて平滑する。上記ブリッジダイオードの整流出力は、昇圧型スイッチング電源用チョークコイル、昇圧型スイッチング電源用スイッチング半導体スイッチ、昇圧型スイッチング電源用整流ダイオードおよび力率改善制御回路により、入力電流が正弦波状で、かつ昇圧動作を行い、出力となる平滑用電解コンデンサの両端電圧が出力電圧設定用抵抗で設定された出力電圧となるように制御される。そのため、通常、昇圧型スイッチング電源においては、商用周波数に応答しないようにフィードバック制御を行うため、入力の急変や負荷の急変に対して出力の応答に遅れが生じ易く、出力電圧のオーバーシュートが発生してしまいやすい。【０００３】
そこで、特許文献１に記載の従来技術では、図９に示すように、商用交流電源について整流平滑化を行う整流手段（図９のＤ１０）と、昇圧用のインダクタンス素子（図９のＬ１０）と、インダクタンスに流れる電流を断続するスイッチング手段（図９のＱ１０）と、スイッチング手段の出力を整流平滑化して直流出力電圧を得る直流電圧生成手段（図９のＣ２０）と、インダクタンス素子の励起電圧及び前記の出力に基づいてスイッチング手段のスイッチング周波数を可変制御し、少なくとも当該直流電源回路の出力を安定化するスイッチング制御手段（図９の出力電圧制御部、発振制御部、ドライバ）と、商用交流電源に対応する電圧レベルを検出しこの電圧レベルが所定の閾値よりも高いとされる場合には上記スイッチング手段のスイッチング動作を停止させるように構成されたスイッチング動作停止手段（図９の過電圧検出部、過電流検出部）と、を備えた直流電源回路を提案している。この直流電源回路によれば、商用交流電源の電圧レベルが所定以上となった場合には、アクティブフィルタにおけるスイッチング手段のスイッチング動作が停止される。これにより、例えば商用交流電源が高電圧で軽負荷であるような条件の下であっても、インダクタンス素子における過剰な電圧の上昇を避けることが可能となる。【０００４】
しかしながら、特許文献１に記載の従来技術では、直流電源回路の入力に商用交流電源が投入される起動時において、図１０（図１１は、図９のタイミングチャートの時間軸を広くしたタイミングチャート）に示すように、出力電圧が急峻に上昇してしまい発振・停止を繰り返す間欠的な発振動作になる可能性があり、そのときの発振・停止を繰り返す周期が可聴領域に入ってしまうと、昇圧用のインダクタンス素子等の音鳴きが発生するおそれがある。このような現象は、特に入力電圧が出力電圧よりも高い場合に顕著となりやすい。【０００５】
これに対して、特許文献２に記載の従来技術では、入力交流電圧を整流して脈流電圧を得る整流器と前記脈流電圧をインダクタに印加して磁気エネルギを蓄えるための電流を流す第１スイッチ素子と、前記磁気エネルギに応じた電流を流す第２スイッチ素子と、該第２スイッチからの電流を平滑して出力直流電圧を得る平滑コンデンサと、前記第１スイッチ素子の切断および導通を制御するスイッチ素子制御器と、を備えた昇圧チョッパ型力率改善電源装置において、前記出力直流電圧の大きさを所定値とするとともに、力率を改善する昇圧チョッパ型力率改善電源装置を提案している。この昇圧チョッパ型力率改善電源装置においては、前記脈流電圧の大きさが所定閾値よりも大きいときに、過電圧検出信号を発生し、前記過電圧検出信号に基づいて、前記出力直流電圧の大きさを前記所定値よりも大きなものに変更する。【０００６】
したがって、この昇圧チョッパ型力率改善電源装置によれば、整流器は、入力交流電圧を整流して脈流電圧を得て、第１スイッチ素子は、該脈流電圧をインダクタに印加して磁気エネルギを蓄えるための電流を流し、第２スイッチ素子は、磁気エネルギに応じた電流を流す。平滑コンデンサは、該第２スイッチからの電流を平滑して出力直流電圧を得て、スイッチ素子制御器は、第１スイッチ素子の切断および導通を制御する。そして、出力直流電圧を所定値とするとともに、力率を改善する。更に、脈流電圧のピーク値が所定閾値よりも大きいときに過電圧検出信号を発生し、この過電圧検出信号に基づいて、出力直流電圧の値を所定値の値よりも大きなものに変更する。これにより、インダクタに間欠的な電流が流れることを防止する。そのため、特許文献２に開示されている昇圧チョッパ型力率改善電源装置では、特許文献１の直流電源回路で発生する昇圧用のインダクタンス素子等の音鳴きは防止される。
【先行技術文献】
【特許文献】
【０００７】
【特許文献１】特開平１１−３３２２２０号公報
【特許文献２】特開２００７−２８８６４号公報
【発明の概要】
【発明が解決しようとする課題】
【０００８】
しかしながら、特許文献２に開示された昇圧チョッパ型力率改善電源装置では、脈流電圧のピーク値が所定閾値よりも大きいときに過電圧検出信号を発生し、過電圧検出信号に基づいて、出力直流電圧の値を所定値の値よりも大きなものに変更するため、一定期間、出力電圧が大きくなることを考慮して、周辺部品の耐圧を考慮して設計する必要がある。従って、特許文献２の昇圧チョッパ型力率改善電源装置では、装置の小型化、低コスト化が困難になってしまうという問題がある。【０００９】
以上のように、上記の従来技術においては、出力電圧のオーバーシュート対策、昇圧用のインダクタンス素子等の音鳴き対策、装置の小型化および低コスト化の全てを満足する力率改善回路を提供することが困難であった。【００１０】
そこで、本発明は、上述の課題に鑑みてなされたものであり、力率改善回路に関し、特に、起動時、入力急変時、負荷急変時等のオーバーシュートの保護が働いたときに発生するトランスの音鳴き軽減を可能とする力率改善回路を提供することを目的とする。
【課題を解決するための手段】
【００１１】
本発明は、上記の課題を解決するために、以下の事項を提案している。なお、理解を容易にするために、本発明の実施形態に対応する符号を付して説明するが、これに限定されるものではない。【００１２】
（１）本発明は、商用入力電源を整流する入力ダイオード（例えば、図１のＤ１に相当）と、前記入力ダイオードに一端が接続されたチョークコイル（例えば、図１のＬ１に相当）と、前記チョークコイルの他端にアノード端が接続された出力ダイオード（例えば、図１のＤ２に相当）と、前記出力ダイオードのカソード端に正極端が接続された出力コンデンサ（例えば、図１のＣ４に相当）と、前記出力ダイオードのアノード端および前記チョークコイルの他端の接続点と前記出力コンデンサの負極端との間に接続されたスイッチング素子（例えば、図１のＱ１に相当）と、前記スイッチング素子のオンオフを制御する制御回路（例えば、図１の制御回路１０に相当）と、を備え、前記商用入力電源の電圧を昇圧し前記出力コンデンサより直流電圧を出力し、負荷側に電力供給する力率改善回路において、前記制御回路は、前記出力コンデンサの両端電圧を第１電圧値に定電圧制御する出力電圧制御部（例えば、図２の出力電圧制御部３００に相当）と、前記出力コンデンサの両端電圧が前記第１電圧値よりも大きい第２電圧値に達した場合に、前記第２電圧値を検出する過電圧検出部（例えば、図２の過電圧検出部４００に相当）と、前記スイッチング素子に流れるスイッチング電流の値を検出するとともに、前記スイッチング電流の制限値を決定し、前記制限値に前記スイッチング電流の値を制限する電流制限部（例えば、図２の電流制限部５００に相当）と、前記過電圧検出部が前記第２電圧値を検出した場合に、前記スイッチング電流の値を低下させるよう、前記電流制限部に対して前記制限値を変更させる制限値変更部（例えば、図２の制限値変更部６００に相当）と、を備えたことを特徴とする力率改善回路を提案している。【００１３】
この発明によれば、出力電圧制御部により出力コンデンサの両端電圧が第１電圧値に定電圧制御され、出力コンデンサの両端電圧が第１電圧値よりも大きい第２電圧値に達した場合、過電圧検出部により第２電圧値が検出される。また、電流制限部によりスイッチング素子に流れるスイッチング電流値が検出されるとともに、スイッチング電流の制限値が決定される。そして、制限値にスイッチング電流が制限され、過電圧検出部により第２電圧値が検出された場合、制限値変更部によりスイッチング電流値低下させるよう、電流制限部に対して制限値が変更される。【００１４】
（２）本発明は、（１）の力率改善回路について、前記制限値変更部は、前記過電圧検出部が前記第２電圧値を検出した後に、前記過電圧検出部が、前記出力コンデンサの両端電圧を前記第２電圧値以上であると検出した場合には、前記過電圧検出部が前記第２電圧値を検出した場合に前記スイッチング電流の値を低下させるよりも更に低下させるよう、前記電流制限部に対して前記制限値を変更させることを特徴とする力率改善回路を提案している。【００１５】
この発明によれば、過電圧検出部が前記第２電圧値を検出した後に、過電圧検出部が、前記出力コンデンサの両端電圧を前記第２電圧値以上であると検出した場合には、過電圧検出部によって、第２電圧値を検出した場合にスイッチング電流の大きさを低下させるよりも更に低下させるよう、電流制限部に対して制限値が変更される。【００１６】
（３）本発明は、（２）の力率改善回路について、前記電流制限部が、負端子に第１電圧値に相当する基準電源が接続され、出力が前記スイッチング素子の発振を制御する発振制御部に接続された比較器（例えば、図３のＣＯＭＰ５０１に相当）からなり、正端子に、前記スイッチング電流の値に相当する電流レベル信号と前記制限値変更部から出力される前記電流制限部に対して前記制限値を変更させる制限値変更信号とを重畳させた信号を供給することを特徴とする力率改善回路を提案している。【００１７】
この発明によれば、電流制限部が、負端子に第１電圧値に相当する基準電源が接続され、出力がスイッチング素子の発振を制御する発振制御部に接続された比較器からなり、正端子に、スイッチング電流の値に相当する電流レベル信号と制限値変更部から出力される電流制限部に対して制限値を変更させる制限値変更信号とを重畳させた信号を供給する。【００１８】
（４）本発明は、（１）または（２）の力率改善回路について、前記制御回路は、前記スイッチング素子のスイッチング動作を停止保持させる発振停止保持部（例えば、図６の発振制御部２１０に相当）を備え、前記過電圧検出部は、前記出力コンデンサの両端電圧が前記第２電圧値よりも大きい第３電圧値に達した場合に、前記第３電圧値を検出し、前記発振停止保持部に対し前記スイッチング素子のスイッチングを停止保持させるように制御することを特徴とする力率改善回路を提案している。【００１９】
この発明によれば、制御回路は、出力コンデンサの両端電圧が第２電圧値よりも大きい第３電圧値に達した場合に、過電圧検出部によって第３電圧値を検出し、発振停止保持部に対しスイッチング素子のスイッチングを停止保持させる。【００２０】
（５）本発明は、（１）から（４）の力率改善回路について、前記制御回路は、前記制限値変更部が前記電流制限部に対して前記制限値を変更させた状態から変更前の状態に戻すタイミングで、前記制限値の変更が終了したことを表す制限値変更終了信号を前記負荷側に伝達する制限値変更終了伝達部（例えば、図８の制限値変更終了伝達部７００に相当）を備えたことを特徴とする力率改善回路を提案している。【００２１】
この発明によれば、制御回路は、制限値変更部が電流制限部に対して制限値を変更させた状態から変更前の状態に戻すタイミングで、制限値の変更が終了したことを表す制限値変更終了信号を負荷側に伝達する。
【発明の効果】
【００２２】
請求項１記載の発明によれば、出力電圧制御部により出力コンデンサの両端電圧が第１電圧値に定電圧制御され、出力コンデンサの両端電圧が第１電圧値よりも大きい第２電圧値に達した場合に、過電圧検出部により上記第２電圧値が検出される。また、電流制限部によりスイッチング素子に流れるスイッチング電流値が検出され、これとともに、スイッチング電流の大きさの制限値が決定され、スイッチング電流値は、上記制限値に制限される。そして、過電圧検出部により第２電圧値が検出された場合は、制限値変更部によりスイッチング電流の大きさを低下させるよう、電流制限部に対して制限値が変更させられる。そのため、昇圧型スイッチング電源の出力電圧がオーバーシュートし易い条件下であっても、出力電圧のオーバーシュート時は、比較的に簡単にスイッチング電流の大きさを低下させることができるという効果がある。その結果、出力電圧の上昇が抑えられ、且つ、トランスの音鳴きを防止することができるという効果がある。また、複雑な制御回路を必要としないため、装置の小型化および低コスト化の全てを満足する昇圧型スイッチング電源を提供することが可能となるという効果がある。【００２３】
請求項２記載の発明によれば、昇圧型スイッチング電源の出力電圧がオーバーシュートし易い条件下であっても、出力電圧がオーバーシュート時は、比較的に簡単にスイッチング電流の大きさを更に低下させることができる。その結果、出力電圧の上昇がより抑えられ、且つ、トランスの音鳴きをより防止することができるという効果がある。また、特に自励式電源では、軽負荷条件で可聴周波数帯域の間欠発振動作になる場合があるが、過電圧検出部が第２電圧値を検出した場合にスイッチング電流の値を低下させるよりも更に低下させるため、この場合もトランスの音鳴きを低減させることができるという効果がある。なお、自励式電源では、軽負荷条件で間欠動作にならず連続発振動作になる場合もあるが、当然ながら、この場合もトランスの音鳴きを低減できるという効果がある。【００２４】
請求項３記載の発明によれば、電流制限部が、負端子に第１電圧値に相当する基準電源が接続され、出力がスイッチング素子の発振を制御する発振制御部に接続された比較器からなり、正端子に、スイッチング電流の値に相当する電流レベル信号と制限値変更部から出力される電流制限部に対して制限値を変更させる制限値変更信号とを重畳させた信号を供給する。したがって、通常の比較器で構成される過電流検出回路の正端子に制限値変更部の出力信号を接続する簡易な形態で、等価的に、閾値を変更することにより、制限値を変更できるという効果がある。【００２５】
請求項４記載の発明によれば、過電圧検出部が、出力コンデンサの両端電圧が第２電圧値よりも大きい第３電圧値に達した場合、第３電圧値を検出し、発振制御部に対しスイッチング素子のスイッチングを停止保持させるように制御するため、出力電圧がオーバーシュートして第３電圧値まで上昇した場合でも、力率改善回路を確実かつ容易に停止させることができるという効果がある。【００２６】
請求項５記載の発明によれば、制御回路は、制限値変更部が電流制限部に対して制限値を変更させた状態から変更前の状態に戻すタイミングで、制限値の変更が終了したことを表す制限値変更終了信号を負荷側に伝達する。そのため、負荷側にスイッチング電流の電流制限レベルが上記制限値に制限されている情報が伝達されるため、例えば、本発明に係る力率改善回路の出力に、他の電気回路が接続される場合には、制限値変更終了情報に基づいて当該電気回路の動作を制御すれば、力率改善回路の出力電圧が上記第１電圧値に安定的に定電圧制御されていない条件であっても、当該電気回路の動作を禁止することができるという効果がある。
【図面の簡単な説明】
【００２７】
【図１】本発明の一実施形態に係る力率改善回路の回路構成を示す図である。
【図２】第１の実施形態に係る力率改善回路に用いられる制御回路の回路ブロック図である。
【図３】第１の実施形態に係る制御回路における過電圧検出部、電流制限部および制限値変更部の周辺回路構成図である。
【図４】第１の実施形態に係る力率改善回路の軽負荷起動時における実際のスイッチング電流波形を含むタイミングチャートの時間軸を広くして示した図である。
【図５】第１の実施形態に係る力率改善回路の軽負荷起動時における平均スイッチング電流を含む動作タイミングチャートである。
【図６】第２の実施形態に係る制御回路における過電圧検出部、電流制限部および制限値変更部の周辺回路ブロック図である。
【図７】第２の実施形態に係る制御回路における過電圧検出部、電流制限部および制限値変更部の周辺回路構成図である。
【図８】第３の実施形態に係る制御回路における過電圧検出部、電流制限部および制限値変更部の周辺回路ブロック図である。
【図９】従来例に係る力率改善回路の回路構成を示す図である。
【図１０】従来例に係る力率改善回路の軽負荷起動時の動作タイミングチャートである。
【図１１】図１０のタイミングチャートの時間軸を広くしたタイミングチャートである。
【発明を実施するための形態】
【００２８】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２９】
以下、図１から図８を用いて、本発明に係る力率改善回路について詳細に説明する。なお、本実施形態に係る力率改善回路は、例えば、１００Ｖ（実効値）の交流電力を印加し、出力端子ＶＯＵＴと端子ＧＮＤとの間から、例えば、３００Ｖの出力直流電圧を有する直流電力を取り出して、負荷に供給するものである。
【００３０】
＜力率改善回路の回路構成＞
図１を用いて、本実施形態に係る力率改善回路の回路構成について説明する。
本実施形態に係る力率改善回路は、図１に示すように、交流電力を供給する商用電源ＶＩＮと、４つのダイオードがブリッジ接続され、交流電圧を全波整流するブリッジ整流回路Ｄ１とブリッジ整流回路Ｄ１の出力を平滑化する整流コンデンサＣ１とからなる整流回路２０と、チョークコイルＬ１と、スイッチング素子Ｑ１と抵抗Ｒ１、Ｒ２、Ｒ３、Ｒ４と、コンデンサＣ２、Ｃ３、Ｃ４と、制御回路１０と、ダイオードＤ２と、から構成されている。
【００３１】
交流電力を供給する商用電源ＶＩＮは、ブリッジ整流回路Ｄ１の入力側に接続されている。ブリッジ整流回路Ｄ１の出力側は、平滑コンデンサＣ１の一端とチョークコイルＬ１の一端に接続されている。なお、平滑化コンデンサＣ１の他端は、接地されている。また、チョークコイルＬ１は、磁気エネルギを蓄え、放出する機能を有している。
【００３２】
チョークコイルＬ１の他端は、スイッチング素子Ｑ１のソースとダイオードＤ２のアノードに接続されている。スイッチング素子Ｑ１のゲートは、制御回路１０のＶＧＰ端子に接続され、このＶＧＰ端子から供給されるドライブ信号により動作する。スイッチング素子Ｑ１のドレインは、抵抗Ｒ１およびＲ２の一端に接続され、抵抗Ｒ２の他端は、コンデンサＣ２の一端および制御回路１０のＣＳＰ端子に接続され、抵抗Ｒ２を介して、制御回路１０に電流レベル信号を供給する。なお、抵抗Ｒ１およびコンデンサＣ２の他端は、ともに接地されている。
【００３３】
ダイオードＤ２のカソードは、出力端子ＶＯＵＴに接続されている。また、出力端子ＶＯＵＴとグランド間には、抵抗Ｒ３およびＲ４により形成される分圧回路および出力コンデンサＣ４が設けられている。また、分圧回路を形成する抵抗Ｒ３およびＲ４の接続点は、制御回路１０のＦＢＰ端子に接続され、分圧回路から制御回路１０に出力電圧レベル信号が供給される。さらに、制御回路１０のＦＢＰ端子とグランド間には、コンデンサＣ３が設けられている。
【００３４】
＜第１の実施形態＞
図２から図５を用いて、本発明の第１の実施形態について説明する。なお、本実施形態は、出力電圧が第２電圧値を越えた場合に、スイッチング電流をＯＣＰ（過電流検出）のときよりも低い電流値に抑えるものである。
＜制御回路内部の構成ブロック＞
図２を用いて、本実施形態に係る制御回路内部の構成ブロックについて説明する。
【００３５】
本実施形態に係る制御回路１０は、図２に示すように、ドライバ部１００と、発振制御部２００と、出力電圧制御部３００と、過電圧検出部４００と、電流制限部５００と、制限値変更部６００とから構成されている。
【００３６】
ここで、出力電圧制御部３００は、出力コンデンサＣ４の両端電圧に対応する出力電圧レベル信号をＦＢＰ端子から入力し、入力した出力電圧レベル信号に基づいて、発振制御部２００に出力電圧制御信号を出力することにより、出力電圧の値が第１電圧値になるように定電圧制御を行う。
【００３７】
発振制御部２００は、定常状態においては、出力電圧制御部３００から入力する出力電圧制御信号に応じて、発振を制御するためのトリガ信号を生成して、ドライバ部１００に供給する。ドライバ部１００は、発振制御部２００から入力したトリガ信号に応じて、ドライブ信号を生成し、ＶＧＰ端子を介して、スイッチング素子Ｑ１のゲートにドライブ信号を供給する。
【００３８】
一方で、過電圧検出部４００は、出力コンデンサＣ４の両端電圧に対応する出力電圧レベル信号をＦＢＰ端子から入力し、入力した出力電圧レベル信号が第１電圧値よりも大きい第２電圧値に達した場合に、第２電圧値を検出し、過電圧検出信号を生成して、制限値変更部６００に過電圧検出信号を供給する。
【００３９】
制限値変更部６００は、過電圧検出部４００が第２電圧値を検出した場合に、電流の値を低下させるよう、電流制限部５００に対して制限値を変更させる制限値変更信号を出力する。電流制限部５００は、入力した電流レベル信号に制限値変更信号を重畳させた電圧値と基準電圧値に基づいて、電流の制限値を決定し、制限値に電流値を制限する。
【００４０】
＜制御回路内部の主要構成要素の回路構成＞
図３を用いて、本実施形態に係る制御回路内部の主要構成要素の回路構成について説明する。本実施形態に係る制御回路１０内部の主要構成要素（過電圧検出部４００と、電流制限部５００と、制限値変更部６００）の回路構成は、図３に示すようになっている。
【００４１】
具体的には、過電圧検出部４００は、比較器ＣＯＭＰ４０１と第２電圧値に相当する第２電圧源Ｖｏｖｐとから構成されている。比較器ＣＯＭＰ４０１の負入力端子は、制御回路１０のＦＢＰ端子に接続され、出力電圧レベル信号が入力される。比較器ＣＯＭＰ４０１の正入力端子は、第２電圧源Ｖｏｖｐに接続されている。また、比較器ＣＯＭＰ４０１の出力端子は、出力電圧が過電圧状態である場合に、Ｌｏｗレベルの過電圧検出信号を生成し、制限値変更部６００に出力する。
【００４２】
制限値変更部６００は、抵抗Ｒ６０１、Ｒ６０２、Ｒ６０３とトランジスタＱ６０１とから構成されている。抵抗Ｒ６０２の一端は、過電圧検出部４００内の比較器ＣＯＭＰ４０１の出力端子に接続されている。抵抗Ｒ６０２の他端は、トランジスタＱ６０１のベースおよび抵抗Ｒ６０１の一端に接続されている。抵抗Ｒ６０１の他端は、電源およびトランジスタＱ６０１のエミッタに接続されている。抵抗Ｒ６０３の一端は、トランジスタＱ６０１のコレクタに接続され、抵抗Ｒ６０３の他端は、電流制限部５００に接続されている。そして、過電圧検出部４００内の比較器ＣＯＭＰ４０１の出力端子からＬｏｗレベルの信号が出力されると、トランジスタＱ６０１が、ＯＮ状態となって、電流制限部５００にＨｉｇｈレベルの信号が出力される。また、電流制限部５００に出力されるＨｉｇｈレベルの信号レベルは抵抗Ｒ６０３によって設定される。
【００４３】
電流制限部５００は、比較器ＣＯＭＰ５０１と基準電圧源Ｖｏｃｐとから構成されている。比較器ＣＯＭＰ５０１の負入力端子は、基準電圧源Ｖｏｃｐに接続されている。比較器ＣＯＭＰ５０１の正入力端子は、制御回路のＣＳＰ端子および制限値変更部６０１の出力端子に接続されている。
【００４４】
電流制限部５００は、出力電圧が過電圧状態でない場合には、ＣＳＰ端子から供給される電流レベル信号と基準電圧源Ｖｏｃｐの値とを比較し、電流レベル信号の値が基準電圧源Ｖｏｃｐの値よりも大きい場合に、Ｈｉｇｈレベルの電流制限信号を発振制御部２００に出力し、発振を停止させる。
【００４５】
一方、電流制限部５００は、出力電圧が過電圧状態である場合には、ＣＳＰ端子から供給される電流レベル信号に制限値変更部６００から出力から供給される制限値変更信号を重畳した信号のレベルと基準電圧源Ｖｏｃｐの値とを比較することにより、等価的に、閾値を下げるように機能することで、出力電圧が第２電圧値を越えた場合には、ＣＯＭＰ５００の出力信号を発振制御部２００に出力することにより、発振制御部２００がスイッチング電流を低下させるように制御を行う。
【００４６】
つまり、図３から図５に示すように、出力電圧が第２電圧値を越えると、過電圧検出部４００が、Ｌｏｗレベルの過電圧検出信号を生成し、制限値変更部６００に出力する。制限値変更部６００は、過電圧検出部４００内の比較器ＣＯＭＰ４０１の出力端子からＬｏｗレベルの信号が出力されると、トランジスタＱ６０１が、ＯＮ状態となって、電流制限部５００に抵抗Ｒ６０３によって設定されたＨｉｇｈレベルの信号が出力する。
【００４７】
そうすると、電流制限部５００内のＣＯＭＰ５０１の正入力端子には、制限値変更部６００内の抵抗Ｒ６０３によって設定された電流レベル信号と制限値変更信号とが重畳された信号が入力される。一方で、ＣＯＭＰ５０１の負入力端子には、固定の基準電圧源Ｖｏｃｐが接続されている。そのため、等価的に、閾値が低くなる。閾値が低くなることにより、電流制限部５００が電流制限信号を発振制御部２００に出力すると、発振を停止するため、電流が減少し、電流レベル信号のレベルが低下する。
【００４８】
そうすると、ＣＯＭＰ５０１の正入力端子の信号レベルが低下し、基準電圧源Ｖｏｃｐの値を下回ると、発振制御部２００への電流制限信号の供給を停止する。これにより、発振制御部２００が発振を開始すると、電流が増加し、電流レベル信号のレベルが上昇する。これにより、ＣＯＭＰ５０１の正入力端子の信号レベルが上昇し、基準電圧源Ｖｏｃｐの値を上回ると、発振制御部２００へ電流制限信号を供給する。以上のような動作を出力電圧が第２電圧値より低くなるまで継続する。
【００４９】
なお、等価的に、閾値を下げるような構成となっているため、制限値変更信号がＨｉｇｈレベルの間は、図４に示すように、スイッチング電流の波形は、傾きが同じで波高値の低い波形となる。また、閾値を下げるような構成となっていることから、発振を開始するとすぐに発振停止状態になるため、スイッチング電流の波形の周波数は、通常よりも短くなっている。図５は、制限値変更信号がＨｉｇｈレベルの場合のスイッチング電流を平均電流で表したものであるが、ここに、示されるように、制限値変更信号がＨｉｇｈレベルの場合にも、発振がまったく停止することはなく、しかも電流レベルが低く抑えられていることがわかる。
【００５０】
したがって、本実施形態によれば、出力電圧制御部により出力コンデンサの両端電圧が第１電圧値に定電圧制御され、出力コンデンサの両端電圧が第１電圧値よりも大きい第２電圧値に達した場合に、過電圧検出部により上記第２電圧値が検出される。また、電流制限部によりスイッチング素子に流れるスイッチング電流値が検出され、これとともに、スイッチング電流の大きさの制限値が決定され、スイッチング電流値は、上記制限値に制限される。そして、過電圧検出部により第２電圧値が検出された場合は、制限値変更部によりスイッチング電流の大きさを低下させるよう、電流制限部に対して制限値が変更させられる。そのため、昇圧型スイッチング電源の出力電圧がオーバーシュートし易い条件下であっても、出力電圧がオーバーシュート時は、抵抗Ｒ６０３を設定することで比較的に簡単にスイッチング電流の大きさを低下させることができる。なお、出力電圧がオーバーシュート時は、出力電圧が第３電圧値以下になるようにスイッチング電流の大きさを設定する。その結果、出力電圧の上昇が抑えられ、且つ、トランスの音鳴きを防止することができる。また、複雑な制御回路を必要としないため、装置の小型化および低コスト化の全てを満足する昇圧型スイッチング電源を提供することが可能となる。
【００５１】
また、昇圧型スイッチング電源の出力電圧がオーバーシュートし易い条件下であっても、出力電圧がオーバーシュート時は、抵抗Ｒ６０３を設定することで比較的に簡単にスイッチング電流の大きさを更に低下させることができる。その結果、出力電圧の上昇がより抑えられ、且つ、トランスの音鳴きをより防止することができる。また、力率改善回路１が例えば自励式電源である場合には、軽負荷条件で可聴周波数帯域の間欠発振動作になることがあるが、過電圧検出部４００が第２電圧値を検出した場合にスイッチング電流の値を低下させるよりも更に低下させるため、この場合もトランスの音鳴きを低減させることができる。なお、力率改善回路１が自励式電源である場合に、軽負荷条件で間欠動作にならず連続発振動作になることもあるが、当然ながら、この場合もトランスの音鳴きを低減できる。
【００５２】
＜第２の実施形態＞
図６および図７を用いて、本発明の第２の実施形態について説明する。なお、本実施形態は、過電圧検出部が、第２電圧値よりも大きい第３電圧値を検出した場合に、スイッチング素子のスイッチングを停止保持させるように制御するものである。
【００５３】
＜制御回路内部の構成ブロック＞
図６を用いて、本実施形態に係る制御回路内部の構成ブロックについて説明する。
【００５４】
本実施形態に係る制御回路１０は、図６に示すように、ドライバ部１００と、発振制御部２１０と、出力電圧制御部３００と、過電圧検出部４１０と、電流制限部５００と、制限値変更部６００とから構成されている。なお、第１の実施形態と同一の符号を付す構成要素については、同一の機能を有するものであることからその詳細な説明は、省略する。
【００５５】
過電圧検出部４１０は、出力コンデンサＣ４の両端電圧に対応する出力電圧レベル信号をＦＢＰ端子から入力し、入力した出力電圧レベル信号が第１電圧値よりも大きい第２電圧値を検出し、第１の過電圧検出信号を生成して、制限値変更部６００に過電圧検出信号を供給する機能に加えて、第２電圧値よりも大きい第３電圧値を検出し、第２の過電圧検出信号を生成して、発振制御部２１０に供給する。
【００５６】
発振制御部２１０は、第２の過電圧検出信号を入力すると、発振を停止するよう制御を行う。
【００５７】
＜制御回路内部の主要構成要素の回路構成＞
図７を用いて、本実施形態に係る制御回路内部の主要構成要素の回路構成について説明する。本実施形態に係る制御回路１０内部の主要構成要素（過電圧検出部４１０と、電流制限部５００と、制限値変更部６００）の回路構成は、図７に示すようになっている。なお、第１の実施形態と同一の符号を付す構成要素については、同一の機能を有するものであることからその詳細な説明は、省略する。
【００５８】
過電圧検出部４１０は、比較器ＣＯＭＰ４０１と第２電圧値に相当する第３電圧源Ｖｏｖｐ１とからなる第１の回路ブロックと比較器ＣＯＭＰ４０２と第３電圧値に相当する第４電圧源Ｖｏｖｐ２とからなる第２の回路ブロックとから構成されている。
【００５９】
ここで、第２の回路ブロック内の比較器ＣＯＭＰ４０２の負入力端子は、制御回路１０のＦＢＰ端子に接続され、出力電圧レベル信号が入力される。比較器ＣＯＭＰ４０２の正入力端子は、第４電圧源Ｖｏｖｐ２に接続されている。また、比較器ＣＯＭＰ４０２の出力端子は、出力電圧が第３電圧値よりも大きい場合に、Ｌｏｗレベルの第２の過電圧検出信号を生成し、発振制御部２１０に出力する。
【００６０】
したがって、本実施形態によれば、過電圧検出部が、出力コンデンサの両端電圧が第２電圧値よりも大きい第３電圧値に達した場合、第３電圧値を検出し、発振制御部に対しスイッチング素子のスイッチングを停止保持させるように制御するため、出力電圧がオーバーシュートして第３電圧値まで上昇した場合でも、力率改善回路を確実かつ容易に停止させることができる。
【００６１】
＜第３の実施形態＞
図５および図８を用いて、本発明の第３の実施形態について説明する。なお、本実施形態は、制限値変更部が電流制限部に対して制限値を変更させた状態から変更前の状態に戻すタイミングで、制限値の変更が終了したことを表す制限値変更終了信号を負荷側に伝達するものである。
【００６２】
＜制御回路内部の構成ブロック＞
図８を用いて、本実施形態に係る制御回路内部の構成ブロックについて説明する。
【００６３】
本実施形態に係る制御回路１０は、図８に示すように、ドライバ部１００と、発振制御部２１０と、出力電圧制御部３００と、過電圧検出部４１０と、電流制限部５００と、制限値変更部６００と、制限値変更終了伝達部７００とから構成されている。なお、第２の実施形態と同一の符号を付す構成要素については、同一の機能を有するものであることからその詳細な説明は、省略する。
【００６４】
制限値変更終了伝達部７００は、制限値変更部６００が電流制限部５００に対して制限値を変更させた状態から変更前の状態に戻すタイミングで、制限値の変更が終了したことを表す制限値変更終了信号を負荷側に伝達する。
【００６５】
具体的には、図５に示すように、例えば、制限値変更信号の立下りエッジを検出して、論理をＨｉｇｈレベルからＬｏｗレベルに遷移させた制限値変更終了検出信号を生成し、負荷側に伝達する。
【００６６】
したがって、本実施形態によれば、制限値変更部が電流制限部に対して制限値を変更させた状態から変更前の状態に戻すタイミングで、制限値の変更が終了したことを表す制限値変更終了信号を負荷側に伝達する。そのため、負荷側にスイッチング電流の電流制限レベルが上記制限値に制限されている情報が伝達されるため、例えば、本発明に係る力率改善回路の出力に、他の電気回路が接続される場合には、制限値変更終了情報に基づいて当該電気回路の動作を制御すれば、力率改善回路の出力電圧が上記第１電圧値に安定的に定電圧制御されていない条件であっても、当該電気回路の動作を禁止することができる。
【００６７】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６８】
１；力率改善回路
１０；制御部
２０；整流回路
３０；出力電圧設定回路
１００；ドライバ部
２００；発振制御部
２１０；発振制御部
３００；出力電圧制御部
４００；過電圧検出部
４１０；過電圧検出部
５００；電流制限部
６００；制限値変更部
７００；制限値変更終了伝達部
Ｃ１；コンデンサ
Ｃ２；コンデンサ
Ｃ３；コンデンサ
Ｃ４；コンデンサ
ＣＯＭＰ４０１；比較器
ＣＯＭＰ４０２；比較器
ＣＯＭＰ５０１；比較器
Ｄ１；ブリッジ整流回路
Ｄ２；ダイオード
Ｌ１；チョークコイル
Ｑ１；スイッチング素子
Ｑ６０１；トランジスタ
Ｒ１；抵抗
Ｒ２；抵抗
Ｒ３；抵抗
Ｒ４；抵抗
Ｒ６０１；抵抗
Ｒ６０２；抵抗
Ｒ６０３；抵抗
ＶＩＮ；商用電源
Ｖｏｃｐ；基準電圧源
Ｖｏｖｐ；第２電圧源
Ｖｏｖｐ１；第３電圧源
Ｖｏｖｐ２；第４電圧源
【図１】
2012105200.tif 000003
【図２】
2012105200.tif 000004
【図３】
2012105200.tif 000005
【図４】
2012105200.tif 000006
【図５】
2012105200.tif 000007
【図６】
2012105200.tif 000008
【図７】
2012105200.tif 000009
【図８】
2012105200.tif 000010
【図９】
2012105200.tif 000011
【図１０】
2012105200.tif 000012
【図１１】
2012105200.tif 000013
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
商用入力電源を整流する入力ダイオードと、前記入力ダイオードに一端が接続されたチョークコイルと、前記チョークコイルの他端にアノード端が接続された出力ダイオードと、前記出力ダイオードのカソード端に正極端が接続された出力コンデンサと、前記出力ダイオードのアノード端および前記チョークコイルの他端の接続点と前記出力コンデンサの負極端との間に接続されたスイッチング素子と、前記スイッチング素子のオンオフを制御する制御回路と、を備え、前記商用入力電源の電圧を昇圧し前記出力コンデンサより直流電圧を出力し、負荷側に電力供給する力率改善回路において、
前記制御回路は、
前記出力コンデンサの両端電圧を第１電圧値に定電圧制御する出力電圧制御部と、
前記出力コンデンサの両端電圧が前記第１電圧値よりも大きい第２電圧値に達した場合に、前記第２電圧値を検出して第１の過電圧検出信号を生成する過電圧検出部と、
前記スイッチング素子に流れるスイッチング電流の値を検出するとともに、前記スイッチング電流の大きさの制限値を決定し、前記制限値に前記スイッチング電流の値を制限する電流制限部と、
前記過電圧検出部が前記第２電圧値を検出した場合に、前記第１の過電圧検出信号に基づいて前記スイッチング電流の大きさを低下させるよう、前記電流制限部に対して前記制限値を変更させる制限値変更部と、
を備えたことを特徴とする力率改善回路。
【請求項２】
前記制限値変更部は、前記過電圧検出部が前記第２電圧値を検出した後に、前記過電圧検出部が、前記出力コンデンサの両端電圧を前記第２電圧値以上であると検出した場合には、前記過電圧検出部が前記第２電圧値を検出した場合に前記スイッチング電流の値を低下させるよりも更に低下させるよう、前記電流制限部に対して前記制限値を変更させることを特徴とする請求項１に記載の力率改善回路。
【請求項３】
前記電流制限部が、負端子に第１電圧値に相当する基準電源が接続され、出力が前記スイッチング素子の発振を制御する発振制御部に接続された比較器からなり、正端子に、前記スイッチング電流の値に相当する電流レベル信号と前記制限値変更部から出力される前記電流制限部に対して前記制限値を変更させる制限値変更信号とを重畳させた信号を供給することを特徴とする請求項２に記載の力率改善回路。
【請求項４】
前記制御回路は、前記スイッチング素子のスイッチング動作を停止保持させる発振停止保持部を備え、
前記過電圧検出部は、前記出力コンデンサの両端電圧が前記第２電圧値よりも大きい第３電圧値に達した場合に、前記第３電圧値を検出して第２の過電圧検出信号を生成し、
前記発振停止保持部は、前記第２の過電圧検出信号に基づいて前記スイッチング素子のスイッチングを停止保持させることを特徴とする請求項１または請求項２に記載の力率改善回路。
【請求項５】
前記制御回路は、前記制限値変更部が前記電流制限部に対して前記制限値を変更させた状態から変更前の状態に戻すタイミングで、前記制限値の変更が終了したことを表す制限値変更終了信号を前記負荷側に伝達する制限値変更終了伝達部を備えたことを特徴とする請求項１から請求項４のいずれかに記載の力率改善回路。
【手続補正２】
【補正対象書類名】明細書
【補正対象項目名】０００４
【補正方法】変更
【補正の内容】
【０００４】
対策、昇圧用のインダクタンス素子等の音鳴き対策、装置の小型化および低コスト化の全てを満足する力率改善回路を提供することが困難であった。
［００１０］
そこで、本発明は、上述の課題に鑑みてなされたものであり、力率改善回路に関し、特に、起動時、入力急変時、負荷急変時等のオーバーシュートの保護が働いたときに発生するトランスの音鳴き軽減を可能とする力率改善回路を提供することを目的とする。
課題を解決するための手段
［００１１］
本発明は、上記の課題を解決するために、以下の事項を提案している。なお、理解を容易にするために、本発明の実施形態に対応する符号を付して説明するが、これに限定されるものではない。
［００１２］
（１）本発明は、商用入力電源を整流する入力ダイオード（例えば、図１のＤ１に相当）と、前記入力ダイオードに一端が接続されたチョークコイル（例えば、図１のＬ１に相当）と、前記チョークコイルの他端にアノード端が接続された出力ダイオード（例えば、図１のＤ２に相当）と、前記出力ダイオードのカソード端に正極端が接続された出力コンデンサ（例えば、図１のＣ４に相当）と、前記出力ダイオードのアノード端および前記チョークコイルの他端の接続点と前記出力コンデンサの負極端との間に接続されたスイッチング素子（例えば、図１のＱ１に相当）と、前記スイッチング素子のオンオフを制御する制御回路（例えば、図１の制御回路１０に相当）と、を備え、前記商用入力電源の電圧を昇圧し前記出力コンデンサより直流電圧を出力し、負荷側に電力供給する力率改善回路において、前記制御回路は、前記出力コンデンサの両端電圧を第１電圧値に定電圧制御する出力電圧制御部（例えば、図２の出力電圧制御部３００に相当）と、前記出力コンデンサの両端電圧が前記第１電圧値よりも大きい第２電圧値に達した場合に、前記第２電圧値を検出して第１の過電圧検出信号を生成する過電圧検出部（例えば、図２の過電圧検出部４００に相当）と、前記スイッチング素子に流れるスイッチング電流の値を検出するとともに、前記スイッチング電流の制限値を決
【手続補正３】
【補正対象書類名】明細書
【補正対象項目名】０００５
【補正方法】変更
【補正の内容】
【０００５】
定し、前記制限値に前記スイッチング電流の値を制限する電流制限部（例えば、図２の電流制限部５００に相当）と、前記過電圧検出部が前記第２電圧値を検出した場合に、前記第１の過電圧検出信号に基づいて前記スイッチング電流の値を低下させるよう、前記電流制限部に対して前記制限値を変更させる制限値変更部（例えば、図２の制限値変更部６００に相当）と、を備えたことを特徴とする力率改善回路を提案している。
［００１３］
この発明によれば、出力電圧制御部により出力コンデンサの両端電圧が第１電圧値に定電圧制御され、出力コンデンサの両端電圧が第１電圧値よりも大きい第２電圧値に達した場合、過電圧検出部により第２電圧値が検出される。また、電流制限部によりスイッチング素子に流れるスイッチング電流値が検出されるとともに、スイッチング電流の制限値が決定される。そして、制限値にスイッチング電流が制限され、過電圧検出部により第２電圧値が検出された場合、制限値変更部によりスイッチング電流値低下させるよう、電流制限部に対して制限値が変更される。
［００１４］
（２）本発明は、  （１）の力率改善回路について、前記制限値変更部は、前記過電圧検出部が前記第２電圧値を検出した後に、前記過電圧検出部が、前記出力コンデンサの両端電圧を前記第２電圧値以上であると検出した場合には、前記過電圧検出部が前記第２電圧値を検出した場合に前記スイッチング電流の値を低下させるよりも更に低下させるよう、前記電流制限部に対して前記制限値を変更させることを特徴とする力率改善回路を提案している。
［００１５］
この発明によれば、過電圧検出部が前記第２電圧値を検出した後に、過電圧検出部が、前記出力コンデンサの両端電圧を前記第２電圧値以上であると検出した場合には、過電圧検出部によって、第２電圧値を検出した場合にスイッチング電流の大きさを低下させるよりも更に低下させるよう、電流制限部に対して制限値が変更される。
［００１６］
（３）本発明は、  （２）の力率改善回路について、前記電流制限部が、負端子に第１電圧値に相当する基準電源が接続され、出力が前記スイッチング素子の発振を制御する発振制御部に接続された比較器（例えば、図３のＣＯＭＰ５０１に相当）からなり、正端子に、前記スイッチング電流の値に相当する電流レベル信号と前記制限値変更部から出力される前記電流制限部に対
【手続補正４】
【補正対象書類名】明細書
【補正対象項目名】０００６
【補正方法】変更
【補正の内容】
【０００６】
して前記制限値を変更させる制限値変更信号とを重畳させた信号を供給することを特徴とする力率改善回路を提案している。
［００１７］
この発明によれば、電流制限部が、負端子に第１電圧値に相当する基準電源が接続され、出力がスイッチング素子の発振を制御する発振制御部に接続された比較器からなり、正端子に、スイッチング電流の値に相当する電流レベル信号と制限値変更部から出力される電流制限部に対して制限値を変更させる制限値変更信号とを重畳させた信号を供給する。
［００１８］
（４）本発明は、  （１）または（２）の力率改善回路について、前記制御回路は、前記スイッチング素子のスイッチング動作を停止保持させる発振停止保持部（例えば、図６の発振制御部２１０に相当）を備え、前記過電圧検出部は、前記出力コンデンサの両端電圧が前記第２電圧値よりも大きい第３電圧値に達した場合に、前記第３電圧値を検出して第２の過電圧検出信号を生成し、前記発振停止保持部は、前記第２の過電圧検出信号に基づいて前記スイッチング素子のスイッチングを停止保持させることを特徴とする力率改善回路を提案している。
［００１９］
この発明によれば、制御回路は、出力コンデンサの両端電圧が第２電圧値よりも大きい第３電圧値に達した場合に、過電圧検出部によって第３電圧値を検出し、発振停止保持部に対しスイッチング素子のスイッチングを停止保持させる。
［００２０］
（５）本発明は、  （１）から（４）の力率改善回路について、前記制御回路は、前記制限値変更部が前記電流制限部に対して前記制限値を変更させた状態から変更前の状態に戻すタイミングで、前記制限値の変更が終了したことを表す制限値変更終了信号を前記負荷側に伝達する制限値変更終了伝達部（例えば、図８の制限値変更終了伝達部７００に相当）を備えたことを特徴とする力率改善回路を提案している。
［００２１］
この発明によれば、制御回路は、制限値変更部が電流制限部に対して制限値を変更させた状態から変更前の状態に戻すタイミングで、制限値の変更が終了したことを表す制限値変更終了信号を負荷側に伝達する。
発明の効果
【手続補正書】
【提出日】平成25年6月20日(2013.6.20)
【手続補正１】
【補正対象書類名】特許請求の範囲
【補正対象項目名】請求項４
【補正方法】変更
【補正の内容】
【請求項４】
前記制御回路は、前記スイッチング素子のスイッチング動作を停止保持させる発振停止保持部を備え、
前記過電圧検出部は、前記出力コンデンサの両端電圧が前記第２電圧値よりも大きい第３電圧値に達した場合に、前記第３電圧値を検出して第２の過電圧検出信号を生成し、
前記発振停止保持部は、前記第２の過電圧検出信号に基づいて前記スイッチング素子のスイッチングを停止保持させることを特徴とする請求項１から請求項３のいずれかに記載の力率改善回路。
【国際調査報告】
2012105200.tif 000014
2012105200.tif 000015
2012105200.tif 000016
2012105200.tif 000017